【手続補正書】
【提出日】平成30年10月11日(2018.10.11)
【手続補正１】
【補正対象書類名】特許請求の範囲
【補正対象項目名】全文
【補正方法】変更
【補正の内容】
【特許請求の範囲】
【請求項１】
ワイヤレスネットワークにおける通信の方法であって、
第1のメッセージを1つまたは複数のワイヤレス通信デバイスに送信するステップであって、前記第1のメッセージが、前記1つまたは複数のワイヤレス通信デバイスからチャネル状態情報を要求し、前記第1のメッセージが、ヘッダとペイロードとを備え、前記ヘッダが、前記チャネル状態情報を決定するために使用可能である第1のフィールドタイプの複数のフィールドを備え、前記ペイロードが、
サウンディングアナウンスメントであって、前記サウンディングアナウンスメントの予定受信側を識別するとともにチャネル状態情報送信のためのパラメータを識別するように構成される、サウンディングアナウンスメントと、
前記チャネル状態情報を推定するためのパラメータとを備える、ステップ
を含み
前記ヘッダが、第2のフィールドタイプのフィールドをさらに備え、前記第2のフィールドタイプの前記フィールドが、前記ヘッダ中の前記第1のフィールドタイプの前記複数のフィールドの存在または数を示す1つまたは複数のビットを備え、前記第1のフィールドタイプが、ロングトレーニングフィールド(LTF)であり、前記第2のフィールドタイプが、高効率SIG-Aフィールドまたは高効率SIG-Bフィールドのいずれかである、方法。
【請求項２】
第2のメッセージを前記1つまたは複数のワイヤレス通信デバイスから受信するステップであって、前記第2のメッセージが、前記チャネル状態情報を備える、ステップ
をさらに含む、請求項1に記載の方法。
【請求項３】
前記チャネル状態情報が、2つ以上のトーン、空間ストリーム、またはサブバンド上で、前記1つまたは複数のワイヤレス通信デバイスのうちの少なくとも2つから同時に受信される、請求項2に記載の方法。
【請求項４】
前記ペイロードが、前記1つまたは複数のワイヤレス通信デバイスの識別子をさらに備える、請求項1に記載の方法。
【請求項５】
前記ヘッダが、前記1つまたは複数のワイヤレス通信デバイスの識別子をさらに備える、請求項1に記載の方法。
【請求項６】
前記ペイロードが、サウンディング物理レイヤコンバージェンスプロトコルデータユニット(PPDU)を備え、前記サウンディングPPDUが、ヌルデータパケットアナウンスメント(NDPA)媒体アクセス制御(MAC)フレームを備える、請求項1に記載の方法。
【請求項７】
前記ペイロードが、アグリゲート媒体アクセス制御プロトコルデータユニット(A-MPDU)を備え、前記A-MPDUのMPDUが、ヌルデータパケットアナウンスメント(NDPA)を備え、前記ヘッダが、少なくとも前記NDPAが復号されるまで、第1の能力のセットをもつワイヤレス通信デバイスのグループが前記A-MPDUを復号するべきであるという指示をさらに備える、請求項1に記載の方法。
【請求項８】
前記ペイロードが、前記チャネル状態情報を推定するための前記パラメータを備える高効率(HE)制御フィールドを備える、請求項1に記載の方法。
【請求項９】
前記ペイロードが、2つ以上のトーンまたはサブバンド上で送信され、前記ペイロードが、前記1つまたは複数のワイヤレス通信デバイスを識別するトーンまたはサブバンド割振り情報をさらに備える、請求項1に記載の方法。
【請求項１０】
前記ペイロードが、前記チャネル状態情報が要求される対象となるトーンまたはサブバンドの指示をさらに備える、請求項1に記載の方法。
【請求項１１】
ワイヤレス通信ネットワークにおけるワイヤレス通信のための装置であって、
第1のメッセージを生成するように構成されたプロセッサであって、前記第1のメッセージが、1つまたは複数のワイヤレス通信デバイスからチャネル状態情報を要求し、前記第1のメッセージが、ヘッダとペイロードとを備え、前記ヘッダが、前記チャネル状態情報を決定するために使用可能である第1のフィールドタイプの複数のフィールドを備え、前記ペイロードが、
サウンディングアナウンスメントであって、前記サウンディングアナウンスメントの予定受信側を識別するとともにチャネル状態情報送信のためのパラメータを識別するように構成される、サウンディングアナウンスメントと、
前記チャネル状態情報を推定するためのパラメータとを備える、プロセッサと、
前記第1のメッセージを前記1つまたは複数のワイヤレス通信デバイスに送信するように構成された送信機と
を備え、
前記ヘッダが、第2のフィールドタイプのフィールドをさらに備え、前記第2のフィールドタイプの前記フィールドが、前記ヘッダ中の前記第1のフィールドタイプの前記複数のフィールドの存在または数を示す1つまたは複数のビットを備え、前記第1のフィールドタイプが、ロングトレーニングフィールド(LTF)であり、前記第2のフィールドタイプが、高効率SIG-Aフィールドまたは高効率SIG-Bフィールドのいずれかである、装置。
【請求項１２】
第2のメッセージを前記1つまたは複数のワイヤレス通信デバイスから受信するように構成された受信機であって、前記第2のメッセージが、前記チャネル状態情報を備える、受信機
をさらに備える、請求項11に記載の装置。
【請求項１３】
前記チャネル状態情報が、2つ以上のトーン、空間ストリーム、またはサブバンド上で、前記1つまたは複数のワイヤレス通信デバイスのうちの少なくとも2つから同時に受信される、請求項12に記載の装置。
【請求項１４】
前記ペイロードが、サウンディング物理レイヤコンバージェンスプロトコルデータユニット(PPDU)を備え、前記サウンディングPPDUが、ヌルデータパケットアナウンスメント(NDPA)媒体アクセス制御(MAC)フレームを備える、請求項11に記載の装置。
【請求項１５】
前記ペイロードが、アグリゲート媒体アクセス制御プロトコルデータユニット(A-MPDU)を備え、前記A-MPDUのMPDUが、ヌルデータパケットアナウンスメント(NDPA)を備え、前記ヘッダが、少なくとも前記NDPAが復号されるまで、第1の能力のセットをもつワイヤレス通信デバイスのグループが前記A-MPDUを復号するべきであるという指示をさらに備える、請求項11に記載の装置。
【請求項１６】
ワイヤレス通信ネットワークにおけるワイヤレス通信のための装置であって、
第1のメッセージを生成するための手段であって、前記第1のメッセージが、1つまたは複数のワイヤレス通信デバイスからチャネル状態情報を要求し、前記第1のメッセージが、ヘッダとペイロードとを備え、前記ヘッダが、前記チャネル状態情報を決定するために使用可能である第1のフィールドタイプの複数のフィールドを備え、前記ペイロードが、
サウンディングアナウンスメントであって、前記サウンディングアナウンスメントの予定受信側を識別するとともにチャネル状態情報送信のためのパラメータを識別するように構成される、サウンディングアナウンスメントと、
前記チャネル状態情報を推定するためのパラメータとを備える、手段と、
前記第1のメッセージを前記1つまたは複数のワイヤレス通信デバイスに送信するための手段と
を備え、
前記ヘッダが、第2のフィールドタイプのフィールドをさらに備え、前記第2のフィールドタイプの前記フィールドが、前記ヘッダ中の前記第1のフィールドタイプの前記複数のフィールドの存在または数を示す1つまたは複数のビットを備え、前記第1のフィールドタイプが、ロングトレーニングフィールド(LTF)であり、前記第2のフィールドタイプが、高効率SIG-Aフィールドまたは高効率SIG-Bフィールドのいずれかである、装置。
【請求項１７】
第2のメッセージを前記1つまたは複数のワイヤレス通信デバイスから受信するための手段であって、前記第2のメッセージが、前記チャネル状態情報を備える、手段
をさらに備える、請求項16に記載の装置。
【請求項１８】
前記チャネル状態情報が、2つ以上のトーン、空間ストリーム、またはサブバンド上で、前記1つまたは複数のワイヤレス通信デバイスのうちの少なくとも2つから同時に受信される、請求項17に記載の装置。
【請求項１９】
前記ペイロードが、サウンディング物理レイヤコンバージェンスプロトコルデータユニット(PPDU)を備え、前記サウンディングPPDUが、ヌルデータパケットアナウンスメント(NDPA)媒体アクセス制御(MAC)フレームを備える、請求項16に記載の装置。
【請求項２０】
前記ペイロードが、アグリゲート媒体アクセス制御プロトコルデータユニット(A-MPDU)を備え、前記A-MPDUのMPDUが、ヌルデータパケットアナウンスメント(NDPA)を備え、前記ヘッダが、少なくとも前記NDPAが復号されるまで、第1の能力のセットをもつワイヤレス通信デバイスのグループが前記A-MPDUを復号するべきであるという指示をさらに備える、請求項16に記載の装置。
【請求項２１】
命令を記憶したコンピュータ可読記憶媒体であって、前記命令は、実行されると、装置のプロセッサに、
第1のメッセージを1つまたは複数のワイヤレス通信デバイスに送信することであって、前記第1のメッセージが、前記1つまたは複数のワイヤレス通信デバイスからチャネル状態情報を要求し、前記第1のメッセージが、ヘッダとペイロードとを備え、前記ヘッダが、前記チャネル状態情報を決定するために使用可能である第1のフィールドタイプの複数のフィールドを備え、前記ペイロードが、
サウンディングアナウンスメントであって、前記サウンディングアナウンスメントの予定受信側を識別するとともにチャネル状態情報送信のためのパラメータを識別するように構成される、サウンディングアナウンスメントと、
前記チャネル状態情報を推定するためのパラメータとを備える、こと
を行わせ、
前記ヘッダが、第2のフィールドタイプのフィールドをさらに備え、前記第2のフィールドタイプの前記フィールドが、前記ヘッダ中の前記第1のフィールドタイプの前記複数のフィールドの存在または数を示す1つまたは複数のビットを備え、前記第1のフィールドタイプが、ロングトレーニングフィールド(LTF)であり、前記第2のフィールドタイプが、高効率SIG-Aフィールドまたは高効率SIG-Bフィールドのいずれかである、コンピュータ可読記憶媒体。
【請求項２２】
前記命令が、実行されると、前記装置のプロセッサに、
第2のメッセージを前記1つまたは複数のワイヤレス通信デバイスから受信することであって、前記第2のメッセージが、前記チャネル状態情報を備える、こと
をさらに行わせる、請求項21に記載のコンピュータ可読記憶媒体。
【請求項２３】
前記チャネル状態情報が、2つ以上のトーン、空間ストリーム、またはサブバンド上で、前記1つまたは複数のワイヤレス通信デバイスのうちの少なくとも2つから同時に受信される、請求項22に記載のコンピュータ可読記憶媒体。
【請求項２４】
前記ペイロードが、サウンディング物理レイヤコンバージェンスプロトコルデータユニット(PPDU)を備え、前記サウンディングPPDUが、ヌルデータパケットアナウンスメント(NDPA)媒体アクセス制御(MAC)フレームを備える、請求項21に記載のコンピュータ可読記憶媒体。
【請求項２５】
前記ペイロードが、アグリゲート媒体アクセス制御プロトコルデータユニット(A-MPDU)を備え、前記A-MPDUのMPDUが、ヌルデータパケットアナウンスメント(NDPA)を備え、前記ヘッダが、少なくとも前記NDPAが復号されるまで、第1の能力のセットをもつワイヤレス通信デバイスのグループが前記A-MPDUを復号するべきであるという指示をさらに備える、請求項21に記載のコンピュータ可読記憶媒体。